(57)【特許請求の範囲】
【請求項１】
菓子とこの菓子を包む包装紙とからなる個包装菓子であって、
前記包装紙は略矩形で、その裏面に紙を裏打ちしたアルミニウム箔であり、前記包装紙にて恐竜の立体折り紙が構成されるものであり、
前記包装紙の裏面になる紙面の縦中央位置には折り線が明示されており、この折り線の左右には谷折り線、山折り線、切り取り線が対象位置に明示されており、
前記包装紙にはその上端から下端に向かって、恐竜を構成する頭部、前足部、胴部、後ろ足部、および尻尾部となる領域があり、頭部、前足部、胴部、後ろ足部、および尻尾部が隣り合う位置には切り取り線がそれぞれ明示されており、
尻尾部の領域にある切り取り線により、尻尾前部と尻尾後部が区画されていることを特徴とする個包装菓子。
【発明の詳細な説明】
【技術分野】
【０００１】
この発明は、個包装菓子に関し、キャンディ、チョコレート、チューインガムなどの菓子を１個ずつ包装した紙で折り紙が作れるようにしたものである。
【背景技術】
【０００２】
キャンディ、チョコレート、チューインガムなどの菓子を袋に多数詰めた商品を販売する場合、菓子を別々に個包装しているものが見受けられる。
商品を保護する、接触による癒着を防ぐ、食べやすくする、見栄えをよくするなど、さまざまな目的で個包装が利用されている。
しかし、菓子が取り出されたあと、その個包装紙は殆どそのまま捨てられ、廃棄焼却処分されており、資源の有効利用、再利用がなされていない。
このような個包装紙の利用状況に鑑みて、残った包装紙を廃棄焼却処分することなく、色紙として利用することが提案されている（特許文献1参照）。
この包装紙の具体例として、包装紙の縦横全体に設けた碁盤の升目の各々に赤色や青色等の色彩を施したものが記載されている。
この包装紙は、その升目色を切断することで、白色、赤色、黄色等の多彩な色紙が構成できるとしている。
この他の利用例としては、包装紙の升目色や縁に折り紙の亀、鶴等の折り方、折り順等を描いたイラストや文を印刷することが例示されている。
また、切断線、目盛り数字、中心位置、切断して色紙として利用する旨の指示文字等を印刷した包装紙が提案されている。
【先行技術文献】
【特許文献】
【０００３】
【特許文献１】特開２００１−８９９９８号公報
【発明の概要】
【発明が解決しようとする課題】
【０００４】
この発明は、個包装菓子の包装紙を単なる折り紙として利用できるだけでなく、包装紙の裏面に実際に具体的な折り紙対象を明示することで、包装紙の再利用を可能としたものである。
【課題を解決するための手段】
【０００５】
そこで、この発明は、菓子とこの菓子を包む包装紙とからなる個包装菓子であって、
前記包装紙は略矩形で、その裏面に紙を裏打ちしたアルミニウム箔であり、前記包装紙にて恐竜の立体折り紙が構成されるものであり、
前記包装紙の裏面になる紙面の縦中央位置には折り線が明示されており、この折り線の左右には谷折り線、山折り線、切り取り線が対象位置に明示されており、
前記包装紙にはその上端から下端に向かって、恐竜を構成する頭部、前足部、胴部、後ろ足部、および尻尾部となる領域があり、頭部、前足部、胴部、後ろ足部、および尻尾部が隣り合う位置には切り取り線がそれぞれ明示されており、
尻尾部の領域にある切り取り線により、尻尾前部と尻尾後部が区画されていることを特徴とする個包装菓子である。
【発明の効果】
【０００８】
この発明の個包装菓子は、菓子を包む包装紙、具体的には、包装紙の裏側になる紙面に、立体的に折り紙ができるように谷折り線、山折り線、切り取り線が印刷などで明示されているので、これらの線に沿って作業を進めることで、立体で、自立可能な、置物風の折り紙が作製できる。
【０００９】
また、この発明によれば、折り紙の楽しさを喚起することができ、手先が器用に使えるようにする素材としても活用することができる。
【図面の簡単な説明】
【００１０】
【図１】この発明の対象となる個包装菓子を示す斜視図である。
【図２】図１に示した個包装菓子を広げた状態を示す斜視図である。
【図３】この発明の個包装菓子に用いられている包装紙に関し、裏面に当る紙面に谷折り線、山折り線、切り取り線が明示されている状態を示す平面図である。
【図４】図３に示した包装紙を用いて折り紙を作製する途中の段階を示す平面図である。
【図５】図３に示した包装紙を用いた折り紙で作製した恐竜を示す側面図である。
【図６】紙を裏打ちした折り紙で作製した恐竜の具体例を示す斜視図である。
【発明を実施するための形態】
【００１１】
以下、この発明の個包装菓子の実施形態を、図面に基づき詳しく説明する。
図１は、個包装菓子１を示しており、この個包装菓子１は図２に示すように菓子２を包んでいる包装紙３とからなる。
【００１２】
この発明の個包装菓子は、第３図に示すように包装紙３に特徴がある。この包装紙３は
その裏面に紙を裏打ちしたアルミニウム箔である。この包装紙３は、折り紙を完成した状態で、立体形状を維持できるものである。具体的には、アルミニウム箔に紙を積層した積層材、またはアルミニウム蒸着紙などがある。このような材質の包装紙３は腰があるので、折り曲げたり、湾曲させると、そのままの状態を維持することが可能になる。
【００１３】
図３において、包装紙３の形状は略矩形であり、その裏面が紙面になる縦中央位置には、包装紙３の上端から下端手前まで、山折り線４が印刷などにより明示されている。図示した状態のものは、恐竜を作成するために谷折り線、山折り線、切り取り線が印刷などにより明示されている。包装紙３はその上端から下端に向かって、恐竜を構成する頭部Ａ、前足部Ｂ、胴部Ｃ、後ろ足部Ｄ、および尻尾部Ｅの領域にそれぞれ対応する。なお、図３で示す谷折り線、山折り線、切り取り線について、谷折り線は破線、山折り線は一点鎖線、および切り取り線は実線でそれぞれ示している。
これら頭部Ａ、前足部Ｂ、胴部Ｃ、後ろ足部Ｄ、および尻尾部Ｅは、山折り線４を中央に左右対称に位置し、山折り線４で山折りした場合、同じ位置に重なる。切り取り線、谷折り線、山折り線の位置について、ここでは左側の領域を対象に説明し、右側の領域については説明を省略する。
【００１４】
頭部Ａ、前足部Ｂ、胴部Ｃ、後ろ足部Ｄ、および尻尾部Ｅは隣り合う位置に、切り取り線５、６、７、８および９がそれぞれ印刷などにより明示されている。
【００１５】
まず、頭部Ａについて説明する。頭部Ａには、山折り線a１、谷折り線a２が印刷などで明示されている。この頭部Ａには恐竜の頭部をイメージする絵柄を印刷などで明示しておいても良い。
【００１６】
また、前足部Ｂには、谷折り線ｂ1、切り取り線ｂ２、切除領域ｂ３が明示されている。この前足部Ｂにおいて示されたｂ４、ｂ５は分離片であり、切り取り線ｂ２に沿って切り込みを入れることで形成されるものである。
胴部Ｃには、その領域には切り取り線、谷折り線、山折り線はなく、縦中央位置の山折り線４を挟んで左右の胴部Ｃにて恐竜の胴部が作製されることになる。
【００１７】
また、後ろ足部Ｄには、山折り線４の近傍から包装紙の左端部側方向に、山折り線ｄ１、谷折り線ｄ２、切り取り線ｄ３、ｄ４が明示されている。この後ろ足部Ｄにおいて示されたｄ５、ｄ６、およびｄ７は分離片であり、切り取り線ｄ３、ｄ４に沿って切り込みを入れることで形成されるものである。
【００１８】
さらにまた、尻尾部Ｅには、山折り線４の延長線上に谷折り線ｅ1が明示されている。この谷折り線ｅ1の近傍からは包装紙３の左端部側方向に、谷折り線ｅ２、山折り線ｅ３、山折り線ｅ４，谷折り線ｅ５が明示されている。この尻尾部Ｅの切り取り線９により、尻尾前部ｅ６、尻尾後部ｅ７が区画される。
【００１９】
次に、この折り紙３を用いて恐竜の作製するための切り込み、折り方について説明する。
まず、図４に示すように、包装紙３の縦中央位置にある破線で示す山折り線４に沿って山折りする。このとき包装紙３の山折り線４の右側領域は図示する左側領域の裏側に折られている。なお、図３で示されている谷折り線ｅ１はこの段階では山折り線４の山折りと一緒に山折りされる。
【００２０】
この後、切り取り線５、６、７、８、９の位置に切り込みを入れる。このとき、頭部Ａ、前足部Ｂ、胴部Ｃ、後ろ足部Ｄ、および尻尾部Ｅが形成される。
これら領域のうち、前足部Ｂにおいて、一点斜線で示されている切除領域ｂ３を切除し、次いで、切り取り線ｂ２に沿って切り込みを入れる。この切り込みで形成された分離片ｂ４、ｂ５が作製される。これら分離片ｂ４、ｂ５は前足の先端部になる。
【００２１】
次に、後ろ足部Ｄに明示されている切り取り線ｄ３、ｄ４に切り込みを入れる。この切り込みで形成された分離片ｄ５、ｄ６、およびｄ７が作製される。これら分離片ｄ５、ｄ６、およびｄ７は後ろ足の先端部になる。
さらに、尻尾部Ｅにおいて、明示されている切り取り線９に沿って切り込みを入れ、尻尾前部ｅ６、尻尾後部ｅ７を形成する。
以上に説明したように、切り込みなどが入れられた包装紙３は、縦中央位置の山折り線４で山折りしていた状態から図３の示すように左右に広げた状態に戻す。
【００２２】
このようにして折り紙の作業に入る前の準備ができたので、以下に折り方について説明する。
折り方の順序は特に限定されないが、恐竜を作製するに当り、理解し易い頭部Ａから尻尾部Ｅに向かって説明する。なお、折り方については図３において左右の領域に同じ符号を付しているように、左右の領域について同様に折り紙作業を行う。
【００２３】
頭部Ａの領域について、破線ａ１で示された山折り線で山折りし、次ぎに一点鎖線で示された谷折り線ａ２で谷折りする。ここで、左右の頭部Ａの領域を山折り線４で山折りし、両者を突き合わせれば恐竜の頭部に相当することになる。なお、左右の頭部Ａの領域の突き合わせは後で実施しても良い。
【００２４】
前足部Ｂの領域について、一点鎖線で示されている谷折り線ｂ１で谷折りする。
先に説明したように、切り取り線ｂ２に沿って切り込みを入れて形成されていた分離片ｂ４、ｂ５を互いに逆方向に折り曲げ（谷折り線、山折り線で図示せず）、恐竜の前足部Ｂの先端を成形する。
【００２５】
胴部Ｃについては、すでに説明しているように、左右の胴部Ｃにて恐竜の胴部を構成することになる。具体的には、左右の胴部Ｃをそれぞれ内巻きに丸めて、空洞の胴部を一対構成する。なお、左右の胴部の端部を互いに重ね、空洞を形成するようにリング状の胴部を構成しても良い。
折り紙がアルミニウム箔に紙を積層した積層材、またはアルミニウム蒸着紙など、裏面に紙を裏打ちしたアルミニウム箔よりなるので、そのものに腰があり、折り曲たり、湾曲させると、そのままの状態を維持することができる。なお、胴部Ｃの形状を固定するために接着剤などを用いれば、空洞形状を確実に保持することができる。
【００２６】
また、後ろ足部Ｄについて、破線で示された山折り線ｄ１で山折りし、一点鎖線で示された谷折り線ｄ２で谷折りする。また、隣り合っている分離片ｄ５、ｄ６、およびｄ７を互いに逆方向に折り曲げ（谷折り線、山折り線で図示せず）、恐竜の後足部Ｄの先端を成形する。
【００２７】
次に、尻尾部Ｅについて、谷折り線ｅ２で谷折りし、次いで谷折り線ｅ１で谷折りする。そして山折り線ｅ３で山折りする。この山折り線ｅ３は谷折り線４を中心線として左右対称に明示されており、どちらか一方から山折りするか、または同時に山折りしても良い。さらに、左右の山折り線ｅ４を山折し、続いて谷折り線ｅ５を谷折りし、さらには左右の尻尾前部ｅ６を互いに密着させる。こののち、左右の尻尾後部ｅ７を互いに密着させることで、尻尾部Ｅを構成することができる。このとき、左右の尻尾部Ｅを互いに接着剤で接着させても良い。
【００２８】
以上の作業で、この実施例で対象としている恐竜の折り紙が完成し、図５に示すように、恐竜としてティラノサウルスをイメージしたものが作製することができる。
また、胴部Ｃについては、胴部の空洞形状をさらに確実に保持するために、空洞内壁に沿ってリング状の形状保持部材を配置しても良い。この形状保持部材としては、厚紙、プラスチック材等を用いれば良い。
図６は、紙を裏打ちしたアルミニウム箔の折り紙で作製したティラノサウルスをイメージした恐竜を示している。
【００２９】
恐竜としてティラノサウルスの例を示したが、このような獣脚類に限らず、ランフォリンクスなどの翼竜類など様々な恐竜も作製することができる。また、キリン、馬など、その他の動物の立体折り紙を作製することも可能となる。このような場合には、包装紙に明示する切り取り線、谷折り線、山折り線の位置を変更、設定することで製作・対応すれば良い。
さらに、上記した実施形態では、破線で示した山折り線４で山折りした例を説明したが、
この山折り線４を谷折り線にして折り紙を製作しても良い。この場合は、谷折り線を山折り線とし、山折り線を谷折り線として折り紙をすることになる。
【００３０】
さらにまた、頭部Ａに恐竜の頭部をイメージする絵柄を印刷などで明示しておいても良いと説明したが、その他の領域に、予め製作する動物が具体的にイメージすることができる絵柄、色を付しておいても良い。
【符号の説明】
【００３１】
１  個包装菓子
２  菓子
３  包装紙
４  山折り線
５、６、７、８、９  切り取り線
ａ１、ｄ１、ｅ３、ｅ４  山折り線
ａ２、ｂ１、ｄ２、ｅ１、ｅ２、ｅ５  谷折り線
Ａ  頭部
Ｂ  前足部
Ｃ  胴部
Ｄ  後ろ足部
Ｅ  尻尾部
【要約】
【課題】個包装菓子の包装紙を単なる折り紙として利用できるだけでなく、包装紙の裏面に実際に具体的な折り紙対象を明示することで、包装紙の再利用を可能としたものである。
【解決手段】包装紙３の形状は略矩形であり、その裏面が紙面になる縦中央位置には、破線で示す山折り線４が印刷などにより明示されている。図示した状態のものは、恐竜を作成するために谷折り線、山折り線、切り取り線が印刷などにより明示されている。包装紙３はその上端から下端に向かって、恐竜を構成する頭部Ａ、前足部Ｂ、胴部Ｃ、後ろ足部Ｄ、および尻尾部Ｅの領域にそれぞれ対応する。
【選択図】図３【図１】
0006050464.tif 000002
【図２】
0006050464.tif 000003
【図３】
0006050464.tif 000004
【図４】
0006050464.tif 000005
【図５】
0006050464.tif 000006
【図６】
0006050464.tif 000007